(57)【要約】  平板状物品、特に光学メディアを格納することを意図する、コンパクトディスク（１０）を格納する装置（１）は、底部（２０）と支持部（１００、２００、３００及び４００）のスタック（７０）を備え、これらの支持部は、底部の上に配置され且つ上側支持部が下側支持部に載るよう互いに重なって配置される。支持部（１００、２００、３００及び４００）は、互いに重なるように配置されるコンパクトディスク（１０）のためのシートを有する。装置（１）は、これらシートの外側に位置する軸（Ｌ１）周囲に支持部（１００、２００、３００及び４００）を回転することによって、スタック（７０）からこれらのシートを引き出すことができるように作られる。装置（１）は、底部（２０）と接続され且つ前記軸（Ｌ１）に沿って位置する固定部材（６）を有する。固定部材（６）は、支持部（１００、２００、３００及び４００）の初期位置で支持部と接触し、その回転を制限する静止を行うことができる。ここで、最も近い支持部、即ち、互いに直接隣接する二つの支持部（１００と２００、又は２００と３００、又は３００と４００、又は４００と１００）は、固定部材（６）の一部と接触し、これらの支持部の相互に反対方向への回転を制限する停止を可能とする。この停止によって、引き出された支持部（１００、２００、３００又は４００）に続くスタック（７０）からの隣接する支持部（４００と２００、又は１００と３００）の望ましくない引き出しの可能性が排除される。
2011530775.tif 000002
【特許請求の範囲】
【請求項１】
底部（２０）及び前記底部上に設置される支持部（１００、２００、３００及び４００）のスタック（７０）を備え、前記支持部（１００、２００、３００及び４００）は、上側支持部が下側支持部に載るよう互いに重なって配置されると共にコンパクトディスク（１０）用のシートを有する、コンパクトディスク（１０）を格納する装置（１）であって、
前記装置は、前記支持部（１００、２００、３００及び４００）をこれらのシートの外側に位置する軸（Ｌ１）回りに回転することによって、前記スタック（７０）からこれらのシートが引き出されることができるように作られ、且つ前記底部（２０）と接続され、前記軸（Ｌ１）に沿って配置され、その初期位置において前記支持部（１００、２００、３００及び４００）と接触する固定部材（６）を備え、
前記固定部材（６）は、前記回転を制限するように静止でき、
最も近い支持部、即ち、互いに直接隣接する二つの支持部（１００及び２００、又は２００及び３００、又は３００及び４００、又は４００及び１００）は、固定部材（６）の一部と接触して、相互に反対方向への前記支持部（１００及び２００、又は２００及び３００、又は３００及び４００、又は４００及び１００）の回転を制限する停止を行うことができることを特徴とする装置（１）。
【請求項２】
同じ支持部（２００又は３００）に隣接する二つの支持部（１００又は３００；２００又は４００）の少なくとも一方は、第２の支持部（３００又は４００）に向かって突出する静止部材（１０３又は２０３）を備え、静止部材（１０３又は２０３）は、第２の支持部（３００又は４００）に当接して停止可能であり、これら二つの支持部（１００又は３００；２００又は４００）を共に引っ張ることを制限することを特徴とする請求項１に記載の装置（１）。
【請求項３】
前記静止部材は、スタック（７０）からの支持部（１００、２００）の引き出し側に支持部（１００、２００）を制限する静止ショルダー（１０３、２０３）の形状に作られることを特徴とする請求項２に記載の装置（１）。
【請求項４】
支持部（１００及び２００）の回転軸（Ｌ１）からより遠い静止ショルダー（１０３及び２０３）の縁端部（１７６及び２７６）は、装置（１）の固定部材（６）と前記接触可能に作られることを特徴とする請求項３に記載の装置（１）。
【請求項５】
支持部（１００、２００）の静止ショルダー（１０３、２０３）は、上方へ突出することを特徴とする請求項４に記載の装置（１）。
【請求項６】
固定部材（６）は、コンパクトディスク（１０）のシートの方向へ前記軸（Ｌ１）から除かれる支持部（１００、２００、３００及び４００）の外部表面と接触することを特徴とする請求項１乃至５のいずれか一項に記載の装置（１）。
【請求項７】
支持部（１００及び２００）は、支持部（１００及び２００）の初期位置で固定部材（６）と接触し、且つ固定部材（６）が作用すると弾性変形できるよう作られる弾性部材（１７０及び２７０）を有することを特徴とする請求項６に記載の装置（１）。
【請求項８】
前記弾性部材（１７０又は２７０）は、支持部（１００又は２００）の他の部分と接続される一端と前記スタック（７０）から引き出し方向へ接続端から突出し且つ前記スタック（７０）におけるこの支持部（１００又は２００）の初期位置で前記固定部材（６）と接触する他端、即ち、自由端を備えることを特徴とする請求項７に記載の装置（１）。
【請求項９】
自由端で、支持部（１００又は２００）の弾性部材（１７０又は２７０）は、前記スタック（７０）におけるこの支持部（１００又は２００）の初期位置で前記軸（Ｌ１）側の前記固定部材（６）と接触する突起（１７４又は２７４）を有し、支持部が軸（Ｌ１）から離れる方向へ移動するのを制限することを特徴とする請求項８に記載の装置（１）。
【請求項１０】
支持部（１００又は２００）の弾性部材（１７０又は２７０）は、弾性部材（１７０又は２７０）の一端から他端へ互いに沿って配置され且つこれらの端で結合される二つの部分（１７１と１７２又は２７１と２７２）を有することを特徴とする請求項９に記載の装置（１）。
【請求項１１】
支持部（１００、２００、３００及び４００）は前記軸（Ｌ１）周囲に孔を有し、固定部材はこれらの孔内に配置され、且つ固定部材は少なくとも一つの長手溝を有するポスト（４１）状に作られ、支持部（１００及び２００）は孔方向へ向けられ且つ溝内に位置する半径方向突起（１５１及び２５１）を有し、前記半径方向突起は溝の縁端部と相互作用可能であって、隣接する支持部（１００及び２００）の半径方向突起（１５１及び２５１）は、初期位置において、前記溝の異なる縁端部と接触することを特徴とする請求項１乃至５又は７乃至１０のいずれか一項に記載の装置（１）。
【請求項１２】
前記溝の周方向の長さ及び支持部（１００又は２００）の突起（１５１又は２５１）の同じ方向の長さは、この支持部（１００又は２００）をそこからコンパクトディスク１０を取り外すのに十分な角度だけ回転した後に、この突起（１５１又は２５１）がこの溝の他の縁端部に当接して停止するように作られることを特徴とする請求項１１に記載の装置（１）。
【請求項１３】
前記ポスト（４１）は二つの溝を有し、各支持部（１００及び２００）は二つの半径方向突起（１５１及び２５１）を有し、各突起はこれらの溝の一方へ配置されることを特徴とする請求項１２に記載の装置（１）。
【請求項１４】
固定部材（５００）は、コンパクトディスク１０のシートと反対側の前記軸（Ｌ１）側に位置する支持部（３）の外部表面と接触することを特徴とする請求項１に記載の装置（１）。
【請求項１５】
支持部（４）は、前記軸（Ｌ１）に沿う穴を有し、固定部材（５００）はこれらの孔に配置されると共に孔の縁端部に接触し、前記軸（Ｌ１）はこれらの孔の外側に位置することを特徴とする請求項１に記載の装置（１）。
【請求項１６】
支持部（１００、２００、３００及び４００）は、支持部のコンパクトディスク（１０）を前記軸（Ｌ１）と平行な同軸（Ｌ２）上に配置することができるように作られることを特徴とする請求項１乃至５又は７乃至１０又は１２乃至１５のいずれか一項に記載の装置（１）。
【請求項１７】
前記固定部材（６）は、前記軸（Ｌ１及びＬ２）と平行で前記軸と同じ平面内に配置される長手軸を有することを特徴とする請求項１６に記載の装置（１）。
【請求項１８】
前記固定部材（６）は、丸棒状に作られることを特徴とする請求項１乃至５又は７乃至１０又は１４乃至１７のいずれか一項に記載の装置（１）。
【請求項１９】
前記軸（Ｌ１及びＬ２）は、垂直方向に配置されることを特徴とする請求項１７に記載の装置（１）。
【請求項２０】
支持部（１００、２００、３００及び４００）は、スタック（７０）の外側の支持部からコンパクトディスクのシートへ向かって少なくとも二つの垂直方向列に突出する把持用ハンドル（１１０、２１０、３１０及び４１０）を有することを特徴とする請求項１乃至５又は７乃至１０又は１２乃至１５又は１７又は１９のいずれか一項に記載の装置（１）。
【請求項２１】
支持部（１００、２００、３００及び４００）は、支持部（１００、２００、３００及び４００）の静止ショルダー（１０３又は２０３）と接続され且つスタック（７０）の外側の支持部から四つの垂直方向列に突出する把持用ハンドル（１１０、２１０、３１０及び４１０）を有することを特徴とする請求項３に記載の装置（１）。
【請求項２２】
ハンドル（１１０、２１０、３１０及び４１０）は、下方に傾けられた外方突出縁端部を有する板によって上部から閉じ込められることを特徴とする請求項２１に記載の装置（１）。
【発明の詳細な説明】
【技術分野】
【０００１】
コンパクトディスクを格納するための装置（以下、装置）が、平板状物品、特に光学メディア、例えばＣＤ、ＤＶＤ及び／又はブルーレイディスクを格納するよう設計される。
【背景技術】
【０００２】
コンパクトディスクを格納するよう設計された装置は、従来技術から既知である。特許請求の範囲の設計に最も近いものは、上側支持部が下側支持部上に載置された状態でスタックされた、言い換えれば、互いに重なり合った平板状支持部（支持部の横寸法が縦寸法よりもはるかに大きいという意味で平板状である）上に水平にコンパクトディスクを格納する装置である。コンパクトディスクの配置用シートの外側に位置する軸上で、支持部は孔を有し、孔に配置されたポストの周囲を回転する際、スタックからシートを引き出すことができるように作られている。例えば、特許文献１、特許文献２、特許文献３、特許文献４、特許文献５、特許文献６，特許文献７、及び特許文献８の発明がある。この設計は、他のコンパクトディスクを取り出さずに、任意のコンパクトディスクをスタックから取り出すことができ、最小の横寸法を有するため、支持部表面上に多くの空間を必要とせず、薄い支持部はスペースを多く取らない。これらの設計に共通する特徴は、下側支持部が上側支持部の重量を支え、それによって、支持部同士の間にはこの重量に比例する摩擦力が存在する点である。従って、スタックから支持部を１枚引き出すために（以下、「コンパクトディスク用シートを有する支持部を引き出す」という意味で）ユーザが支持部に作用を及ぼすと、摩擦力が印加された力を最も近い、即ち隣接する支持部に伝達し、結果、スタックからその支持部が引き出される。これは、その支持部を押し戻す必要がある、つまり余分な手間と時間が掛かるため、ユーザに不都合を生じる。この不都合を回避するため、この装置は、弾性部材による支持部の固定を使用する。例えば、特許文献９による装置において、固定部材は、中間弾性部材を介して支持部と相互作用するポストであり、各部材はポストに剛接続され、その突起が、ポストの回転を制限しない状態でポスト上の溝部に接触する。この固定方法の欠点は、支持部上での固定部材の動作が、回転可能性を低めず、支持部における孔の寸法によって制限された小アーム部上で起こることである。特許文献１０及び特許文献１１による装置では、固定部材が、支持部の反対側に向かって回転軸から離れるように移動する支持部の弾性部材に作用するため、保持はより単純でより信頼性の高いものとなる。更に、最後に二つの例では、特許文献１２，特許文献１３，特許文献１４，特許文献７，特許文献１５，特許文献１６，特許文献３，特許文献１７及び特許文献１８による装置同様、支持部は、装置の部材に当接して停止するため、初期位置から一方向にのみ回転出来るように作られている。
【先行技術文献】
【特許文献】
【０００３】
【特許文献１】米国特許第６５０２７０３号明細書
【特許文献２】米国特許第６１９３０６１号明細書
【特許文献３】米国特許第５７７９０３７号明細書
【特許文献４】米国特許第５２３２２７５号明細書
【特許文献５】米国特許第４９９８６１８号明細書
【特許文献６】米国特許第５３４４０２８号明細書
【特許文献７】米国特許第５０９９９９５号明細書
【特許文献８】米国特許第６６９１８７５号明細書
【特許文献９】米国特許第５６９７６８４号明細書
【特許文献１０】米国特許第２４２９２９０号明細書
【特許文献１１】米国特許第５８１３７４０号明細書
【特許文献１２】米国特許第２７７５４９８号明細書
【特許文献１３】米国特許第３３９２８６８号明細書
【特許文献１４】米国特許第４８１５４８３号明細書
【特許文献１５】米国特許第５５１６２０３号明細書
【特許文献１６】米国特許第５５２４９７６号明細書
【特許文献１７】米国特許第６６２６３０６号明細書
【特許文献１８】米国特許第７３７０７５８号明細書
【発明の概要】
【発明が解決しようとする課題】
【０００４】
特許文献１１による装置のバージョンは、特許請求の範囲の設計に最も近いものと考えられる。この装置では、支持部は水平に設置され、コンパクトディスクシートは、支持部の弾性部材に作用しスタック内に支持部を維持する固定部材の抵抗を押し切りながら同一方向に支持部を回転することによって、スタックから引き出される。ここでは、支持部は装置の部材に当接して停止するため、支持部の反対方向への回転が制限される。このようにして、支持部が引き出されると、隣接する支持部の弾性部材に作用する固定部材は、隣接する支持部の回転を抑制する。この保持をより信頼性の高いものにするため、この装置は、固定部材との弾性部材の制動係合部を備え、弾性部材を離脱させるため、ユーザの手による直接的動作（指でその部材を押す）によって弾性部材を屈曲する能力を付される。支持部を回転させて戻す際、隣接する支持部は、装置の部材に載置されているため、スタック内に残る。この設計によって、支持部の信頼生の高い正確な保持が保証されるが、装置の使用はより不便になる。まず、弾性部材を介して引き出されている支持部に追随した回転をスタック内に固定することは、固定部材との係合の程度が低ければ、信頼性が低い、或は、弾性部材を離脱させるためにユーザの更なる手間を必要とする。次に、例えば、全ての支持部が一方向に無制限に回転する特許文献９による装置とは逆に、ユーザは装置の片側、即ち、支持部を引き出す方の側、からしか支持部へ近接できない。
【課題を解決するための手段】
【０００５】
本発明の目的は、所望のディスクを見つけて取り出すのに要する時間及び手間を省くことによって、主に、支持部がスタックから引き出されている時にそれに隣接する支持部を引き出す可能性を完全に排除することで、装置をより使い勝手の良いものにすることである。
【０００６】
本発明の本質は、以下の特徴の組み合わせによって表わされる。即ち、コンパクトディスクを格納するための装置は、底部及び支持部のスタックを備え、
前記支持部のスタックは前記底部の上に取付けられ、
前記支持部は、上側支持部が下側支持部上に載置された状態で互いに重なり合うよう設置され、
前記支持部がコンパクトディスク用シートを有し、
当該装置は、前記シートの外側に位置する軸周囲を支持部が回転することによって前記スタックから前記シートを引き出すことができるように作られ、（前記支持部を回転可能にする設計上の特徴は、技術的結果に影響を及ぼさないため、必須ではなく、また、この能力は、前記支持部の前記回転軸周囲の運動を制限するリンク部によって、即ち、以下に示す装置の実施形態の一例におけるように、隣接した前記支持部間に、或いは、前記支持部と、前記軸と同心の支持孔に設置されたポストとの間に、即ち、従来の、上記類似物におけるように提供することができる）、
当該装置は、底部に接続され、前記軸に沿って配置され、初期位置で支持部と接触する固定部材を有し、この固定部材は、前記回転を制限する停止、最も近い、即ち二つの隣接した支持部が、固定部材の一部と接触して、互いに反対方向にそれら支持部の回転を制限する停止を行うことができる。
【０００７】
このように、この停止により、隣接する支持部は初期位置から互いに反対方向にのみ回転することが出来る。従って、支持部がその初期位置から回転される際、その上下に隣接する支持部は、引き出されている支持部からの摩擦力を受けるにも関わらず、スタック内に留まる、即ち、その他の全支持部もスタック内に留まることを意味する。提案の解決手段は、前記停止により、前記引き出されている支持部に隣接する支持部がスタックから引き出される可能性を排除するが、前記引き出された支持部を逆回転してスタックに戻す際にこれらの支持部を引き出す可能性を排除しない。逆に、全ての支持部が初期位置から一方向にのみ回転出来る上記類似物では、装置部材の停止により、前記引き出された支持部を回転して戻す際にこれに隣接する支持部を引き出す可能性は排除されているが、これらの支持部の間にある支持部を引き出す際にそれら支持部を引き出す可能性を排除していない。
【０００８】
本発明の技術的結果（好ましい効果）は、支持部の間にある支持部を引き出す際、隣接する支持部をスタックから引き出す可能性を完全に排除することである。この結果から、他の技術的結果、即ち、隣接する支持部を保持することで隣接する支持部の望ましくない引出しを防止する、又はそれらの支持部を戻すことでそのような引出しが生じないようにするためユーザの時間及び手間を省くという結果が得られる。前記是正動作はスタックの反対側で行われるため、回転する支持部はこれを妨げず、この結果が達成される。支持部を更に保持するための弾性部材の使用は、同様に、両解決手段において、隣接する支持部の望ましくない引出しの可能性を低める。弾性部材に直接力を加えてそれを解放する、特許文献１１及び特許文献１０による装置で使用される実施形態を、支持部を固定するために使用される弾性部材がそのような動作を必要としない、以下に述べられる本願の特許請求の範囲に記載された発明の実施形態と比較すると、他の技術的結果、即ち、装置からコンパクトディスクを引き出すのに要する時間及び手間を減じることが分かる。この技術的結果は、弾性部材への動作の必要性が支持部の引き出しの度に発生することから、達成されるが、隣接する支持部を引き出す摩擦力が弾性部材の抵抗力を超えない限り、そのような是正動作はほとんど必要無い。支持部は、コンパクトディスクシートを両方向に回転することによってスタックから引き出すことができるように作られていることから、本発明の他の技術的結果として、ユーザが支持部へ接近する空間が増大する。このため、把持又はマークするために設計された支持部のコンポーネントを装置の両側に配置し、それらのコンポーネントをより大きく作成し、互いからより離れるように配置して、それらのコンポーネントが互いに干渉しないようにすることができる。この結果により、他の技術的結果、即ち、必要なコンパクトディスクを検索する時間の減少、がもたらされる。
【０００９】
好適な実施形態において、二つの支持部の間にある一つの支持部に隣接する、これら二つの支持部の少なくとも一方は、第２の支持部方向へ突出する静止部材を有し、この静止部材は、第２の支持部に対して載置することができ、それは、二つの支持部が互いに近接する方向へ移動するのを制限する。支持部がスタックから引き出されると、その支持部の上側に隣接する支持部は、解放空間に落ち、下側に隣接する支持部に載る。その場合、二つの隣接する支持部の少なくとも一方が、第２の支持部の方へ突出する静止部材を有する時、この静止部材は、上側の支持部の重量の一部を支え、引き出された支持部に働く重量負荷を減少する。技術的結果として、引き出された支持部と二つの隣接する支持部との間の摩擦力と支持部を引き出す力とが減少する。他の技術的結果は、引き出された支持部が、スタックに戻される際に達成される、つまり、回転されている支持部に隣接する支持部の伸張を引き起こしうる摩擦力がより低いため、その伸縮可能性が低められる。好適な実施形態において、支持部の前記静止部材は、支持部がスタックから引き出される側でその支持部を抑制する静止ショルダーの形態で作られる。
【００１０】
好適な実施形態では、回転軸から最も遠い静止ショルダーの縁端部は、装置の固定部材と接触可能であって、支持部の静止ショルダーは、上方へ突出するように作られる。最長アームで支持部に働きかけることによってそのより正確な保持を提供する好適な実施形態では、固定部材はコンパクトディスクのシート方向へ前記軸から離れるように移動される支持部の外部表面と接触する。
【００１１】
好適な実施形態では、二つの支持部の間の支持部が戻し回転中にスタックへ戻される際、初期位置にある支持部を更に固定し且つスタックからこれら隣接する支持部が引き出される可能性を減少するために、これらの支持部は、支持部の初期位置で保持部材と接触し、固定部材によって力が働いたときに弾性的に変形可能な弾性部材を有する。弾性部材の一端は、支持部の他の部分と接続され、支持部の他端、即ち、自由端は、スタックから延出する方向へ接続端から突出し、スタックにおけるその支持部の初期位置において、支持部が固定部材と接触し、支持部の弾性部材の自由端は、前記軸の側で保持部材と接触するショルダーを有し、軸から離れる方向への移動を制限し、支持部の弾性部材は、弾性部材の一端から他端へ互いに沿って引き出され且つこれらの端部でのみ互いに接続される二つの部分を有する。
【００１２】
保持部材の他の好適な実施形態では、支持部は前記軸に沿う孔を有し、固定部材はこれらの孔に配置され且つ少なくとも一つの長手溝を有するポストとして作られ、支持部は孔の内側に向けられ且つ溝内に配置される半径方向の突起を有し、これらの突起は、溝縁端部と相互作用可能であり、初期位置において、隣接する支持部の半径方向の突起は、同じ溝の異なる縁端部と接触する。
【００１３】
好適な実施形態において、引き出された位置において支持部の回転を制限するために、周方向における前記溝の長さ、並びに同方向における支持部の半径方向の突起の寸法は、支持部の回転角が支持部からコンパクトディスクを十分に引き出せるようになった後、溝の第２の縁端部に対して突起を載置することができるように作られる。
【００１４】
好適な実施形態では、ポストは、二つの溝を有し、各支持部は、二つの半径方向の突起を有し、各突起は、一方の溝に配置される。
【００１５】
上記目的を達成するための解決策も提供する保持部材の配置には二つの他の、代替の、バージョンがある。第１のバージョンでは、固定部材は、コンパクトディスクシートから反対の方向へ前記軸から離れるように移動する支持部の外部表面と接触し、第２のバージョンでは、支持部は前記軸に沿う孔を有し、固定部材はこれらの孔に配置され、前記軸は孔の外側に位置する。
【００１６】
好適な実施形態では、装置の広がりを減少することで装置の使用をより便利にするために、支持部は回転の支持部軸に平行する同じ軸に支持部内のコンパクトディスクを配置することができるように作られ、固定部材は前記軸と平行に且つ前記軸と同じ平面に配置される長手軸を有し、固定部材は丸棒状に作られ、前記軸は垂直に配される。
【００１７】
好適な実施形態では、支持部への近接を改良することによって装置の使用をより便利にするため、支持部は、支持部の静止ショルダーと剛接続され、少なくとも二つの垂直方向列で支持部から突出する把持用ハンドルを有し、好適な実施形態では、四つの垂直方向列で、板状に、ハンドルが下方へ傾けられる外方突出縁端部を有するように作られる。
【図面の簡単な説明】
【００１８】
【図１】左上方から見た、コンパクトディスクを格納するための４０枚の支持部を備える、引き出された支持部１００を有する装置１の斜視図を示す。
【図２】前上方から見た、装置１の斜視図を示す。
【図３】装置１の分解斜視図を示す。
【図４】装置２の斜視図を示す。
【図５】底部２０の斜視図を示す。
【図６】底部２０の平面図を示す。
【図７】右上方から見た、ポストカバー５の斜視図を示す。
【図８】ポストカバー５の平面図を示す。
【図９】右下方から見た、ポストカバー５の斜視図を示す。
【図１０】支持部１００の斜視図を示す。
【図１１】支持部１００の平面図を示す。
【図１２】下方から見た、支持部１００の狭部１０１の斜視図を示す。
【図１３】断面図で示されるポスト保持部６と相互作用をする支持部１００の弾性部材１７０の平面図を示す。
【図１４】支持部２００の斜視図を示す。
【図１５】支持部２００の平面図を示す
【図１６】断面図で示されるポスト保持部６と相互作用する支持部２００の弾性部材２７０の平面図を示す。
【図１７】支持部３００の斜視図を示す。
【図１８】支持部４００の斜視図を示す。
【図１９】右上方から見た、ポスト・インサート７の斜視図を示す。
【図２０】右下方から見た、ポスト・インサート７の斜視図を示す。
【図２１】装置３の隣接する支持部と支持部の外部表面と接触する固定部材５００の平面図を示し、その外部表面が軸Ｌ１からコンパクトディスクのシートの反対側へ軸Ｌ１から離れるように移動される。
【図２２】孔内に配置される固定部材５００の異なる側と接触する装置４の隣接する支持部の平面図を示し、支持部回転軸Ｌ１が孔の外側に位置することが分かる。
【発明を実施するための形態】
【００１９】
装置１は、底部２０、４０個の支持部１００、２００、３００及び４００を含むスタック７０、ポスト４０及びカバー５０を含むポストカバー５、保持部材としてのポスト保持部６、並びにカップ６５を含む。
【００２０】
支持部１００、２００、３００及び４００のスタック７０は、底部２０の上部に設置され、水平方向への制限、底部２０から上方への移動の制限、スタック７０の下部支持部４００が軸Ｌ１の周りを回転する機能、及び支持部４００の当該回転中に、支持部３００が上方から底部上に載置する機能を伴った状態で、底部２０に接続される。
【００２１】
スタンドカバー５は、底部２０の上部に設置され、底部２０に堅固に取り付けられる。ポスト保持部６は、底部２０及びポストカバー５に堅固に取り付けられる。スタック７０の各支持部１００、２００、３００又は４００は、シフト、即ち水平方向の移動の制限、垂直方向に互いに離れる移動の制限、及び軸Ｌ１の周りに回転する機能を伴った状態で、その隣接する支持部に接続される。同一支持部２００又は４００に隣接する支持部１００及び３００、並びに同一支持部３００又は１００に隣接する支持部２００及び４００は、該支持部の間にある支持部２００又は４００、あるいは支持部３００又は１００の回転中に、該支持部が互いに接近することを制限する該載置の機能を伴った状態で、互いに接続される。各支持部１００、２００、３００及び４００は、支持部１００及び３００の反時計回りの回転、並びに支持部２００及び４００の時計回りの回転を制限する、初期位置でのポストカバー５の部分に対して載置する機能、並びにコンパクトディスク１０を取り外すのに十分な角度だけ回転した後、ポストカバー５の部分に対して載置する機能を伴った状態で、ポストカバー５のポスト４０に接続される。初期位置において、各支持部１００、２００、３００及び４００は、軸Ｌ１の回りの回転を制限する、該載置の機能を伴った状態で、ポスト保持部６と接触する。本明細書では、ポスト保持部６に対する載置により、支持部１００及び３００の反時計回りの回転、並びに支持部２００及び４００の時計回りの回転を制限する。加えて、各支持部１００、２００、３００及び４００は、スタック７０におけるポスト保持部６の初期位置を保持する機能を伴った状態で、ポスト保持部６と接触する。カップ６５は、水平方向の移動、及び垂直方向の下方への移動の制限、並びに垂直軸の回りの回転の制限を伴った状態で、ポストカバー５に接続される。
【００２２】
底部２０は、装置１の下部に位置する。その最上部には、スタック７０、ポストカバー５及びポスト保持部６がある。カップ６５は、ポストカバー５のキャビティ内に上方から設置される。ポストカバー５は、最下部にポスト４０を有し、支持部１００、２００、３００及び４００は軸Ｌ１に沿った孔を有する。ポスト４０は、上方からこれらの孔内に設置される。ポストカバー５は、最上部でスタック７０の上方に配置されたカバー５０を有する。支持部１００、２００、３００及び４００は、この順序で最上部から最下部まで順々にスタック７０内に、スタック７０の一部を形成して配置される、即ちスタック７０は、そのような１０個の部分を有する。支持部１００、２００、３００及び４００は、それらの内にコンパクトディスク１０を支持部の回転軸Ｌ１と平行に同じ軸Ｌ２上に順々に配置する機能を伴って作られる。ポスト保持部６は、円形ロッド状に作られ、装置１の前端部で、底部２０とカバー５０との間に垂直に配置される（以下、方向を示す概念、前、後、左及び右は、ユーザ側から見た、即ち軸Ｌ２から軸Ｌ１に向かってみたものとする）ので、軸Ｌ１及びＬ２を通過する平面Ｌ１−Ｌ２は、ポスト保持部６の縦軸も通過する。左側で、ポスト保持部６は、支持部１００及び３００の静止ショルダー１０３の前端部の静止ブリッジ１７６、並びに支持部２００及び４００の弾性部材２７０の静止ブリッジ２７３に当接する。右側で、ポスト保持部６は、支持部２００及び４００の静止ショルダー２０３の前端部の静止ブリッジ２７６、並びに支持部１００及び３００の弾性部材１７０の静止ブリッジ１７３に当接する。後部、即ち軸Ｌ１の側で、ポスト保持部６は、支持部１００及び３００、並びに２００及び４００のストップ１７４及び２７４に当接する。左前方で、ポスト保持部６は、支持部１００及び３００の静止ショルダー１０３の垂直外側部分の端部突起１７７に当接し、右前方で、ポスト保持部６は、支持部２００及び４００の静止ショルダー２０３の垂直外側部分の端部突起２７７に当接する。
【００２３】
上方から見た場合、装置１は、涙粒の形状、即ち、軸Ｌ２の回りのユーザ側である前方に幅広い部分、及び軸Ｌ１の回りの後方に幅狭い部分を有する。本明細書では、ポストカバー５の底部２０及びカバー５０の輪郭は、装置の幅広い部分の前方に突出する支持部１００、２００、３００及び４００のハンドル１１０、２１０、３１０及び４１０を除いて、支持部１００、２００、３００及び４００の輪郭と同じである。加えて、支持部１００、２００、３００及び４００の一般的な外部輪郭と異なり、底部２０及びカバー５０の外部輪郭は、後部に突出する横断面Ｌ１−Ｌ２、即ち、輪郭ショルダー２２及び５２の後方部分を制限する平坦な表面の突起である真っ直ぐな部分、底部２０及びカバー５０の後方壁を有する。支持部１００、２００、３００及び４００のハンドル１１０、２１０、３１０及び４１０は、ユーザに向けて垂直な４列で、スタック７０の外側に突出する。支持部１００のハンドル１１０は、左側に第１の列を形成し、支持部３００のハンドル３１０は、左側に第２の列を形成する。両方の列とも、平面Ｌ１−Ｌ２の左側に配置される。支持部１００のハンドル１１０の右側縁端部は、支持部３００のハンドル３１０の左側縁端部より平面Ｌ１−Ｌ２から遠方に配置される。これらの縁端部間の距離は、それらの間の空間に指を差し込み、支持部１００のハンドル１１０の右側縁端部を把持するのに十分であるように選択される。支持部３００のハンドル３１０は、支持部１００のハンドル１１０より軸Ｌ１から遠方に配置される。これらの距離間の差は、軸Ｌ１から半径方向におけるハンドル３１０の長さに一致する。支持部２００のハンドル２１０は、第３の列を形成し、支持部４００のハンドル４１０は、左側に第４の列を形成するが、これらの二つの列は、平面Ｌ１−Ｌ２の右側に配置される。支持部２００のハンドル２１０及び支持部３００のハンドル３１０の、平面Ｌ１−Ｌ２及び軸Ｌ１からの距離は等しく、支持部４００のハンドル４１０及び支持部１００のハンドル１１０の、平面Ｌ１−Ｌ２及び軸Ｌ１からの距離も等しい。支持部３００のハンドル３１０の右側縁端部から支持部２００のハンドル２１０の左側縁端部までの水平距離は、ユーザが、ハンドルを把持するために縁端部の間に指を挿入できるように選択される。
【００２４】
支持部１００、２００、３００及び４００のスタック７０は、スタック７０の下部支持部４００と底部２０との接続、及び支持部４００の回転中に底部２０の静止ショルダー２３の上方から載置する支持部３００によって底部２０に接続される。支持部４００は、そこに向けて上方に突出する底部２０の保持ショルダー３０の内側円筒状表面によって包囲されている軸Ｌ１と同心の外側円筒状表面の中央リング２０によって底部２０に接続される。
【００２５】
加えて、支持部４００は、底部２０の保持ショルダー３０から軸Ｌ１の遠方に突出し、支持部４００の外側リング４３０のフック４３１の上方に配置された、外側リング４３０から軸Ｌ１に向かって突出する三つの下部フック４３１の係合によって底部２０に接続される。
【００２６】
ポストカバー５は、底部２０のポスト２５用のポケットの合わせ面によって包囲されている支持部４０の低部分の外側表面によって底部２０に接続される。加えて、ポストカバー５は、ポスト４０が底部２０のポケット２５内に設置された後の、底部２０の装着ショルダー２８の最上部分の口広げ加工によって底部２０に接続される。口広げ加工する前に、底部２０の装着ショルダー２８の最上部分は、この水平ブリッジ４７の上部表面の上方に、ポスト４０の装着ブッシング４６の水平ブリッジ４７内の孔を通して突出させる。口広げ加工の後、底部２０の装着ショルダー２８の口広げ加工された部分は、水平ブリッジ４７の上部の表面に対して押し付けられ、ポスト４０が上方に移動しないように保つ。
【００２７】
ポスト保持部６は、底部でポスト保持部ポケット２６で包囲されているその下端部によって底部２０に接続され、カバー内でポスト保持部ポケット５４で包囲されるその上端部によってポストカバー５に接続される。
【００２８】
支持部１００、２００、３００及び４００は、軸Ｌ１と同心であり、該支持部に向かって上方に突出する、隣接する支持部２００、３００、４００及び１００のリングショルダー２４０及び１４０の内部円筒状表面によって包囲されている、該支持部の中央リング１２０、２２０の外側円筒状表面によって、その隣接下部支持部２００、３００、４００及び１００に接続される。
【００２９】
加えて、支持部１００、２００、３００及び４００は、外側リング１３０、２３０から軸Ｌ１に向けて突出する下部フック１３１、２３１の、支持部２００、３００、４００及び１００のリングショルダー２４０及び１４０から軸Ｌ１の遠方に突出する上部フック２４１及び１４１への係合、並びにフック１３１、２３１の上方に配置された支持部１００、２００、３００及び４００の外側リング１３０、２３０によって、その隣接下部支持部２００、３００、４００及び１００に接続される。支持部１００及び３００、並びに２００及び４００は、それぞれ、静止ショルダー１０３及び２０３に対して載置し、軸Ｌ１に沿ってそれらが互いに接近することを制限する機能を伴った状態で互いに接続される。隣接する支持部の静止ショルダー１０３及び２０３は、それらの初期位置からこれらの支持部の相対的な回転後、後方端部が互いに対して載置する機能を伴って作られ、これによりポスト４０と共にそれらを組み立てる前に、まず第１一に、ポスト４０に対して載置される支持部によって局限され回転角よりも大きく、第２に、これらの支持部の上部フック１４１、２４１及び下部フック１３１、２３１の係合に必要な回転角よりも大きい角度によって、それらを互いに組み立てることが可能となる。
【００３０】
支持部１００及び３００は、支持部１００及び３００の半径方向の突起１５１が、初期位置ではポストカバー５のポスト４０の縦方向の溝の縁端部４３に対して載置し、かつコンパクトディスク１０をそれらから取り外すのに十分な角度だけ上方から見て時計回りに支持部１００及び３００を回転した後は、溝の反対側縁端部４４に対して載置することによってポストカバー５のポスト４０に接続される。支持部２００及び４００は、支持部２００及び４００の半径方向の突起２５１が、初期位置では同じ溝の縁端部４４に対して載置し、かつコンパクトディスク１０をそれらから取り外すのに十分な角度だけ上方から見て反時計回りに支持部１００及び３００を回転した後は、これらの溝の反対側縁端部４３に対して載置することによってポストカバー５のポスト４０に接続される。
【００３１】
支持部１００、２００、３００及び４００は、平面Ｌ１−Ｌ２に面し、静止ショルダー１０３及び２０３の前端部上に配置され、ポスト保持部の二つの反対側に対して載置する左側の静止ブリッジ１７６及び右側の静止ブリッジ２７６の機能を伴った状態でポスト保持部６に接続される。加えて、支持部１００、２００、３００及び４００は、これらの支持部の弾性部材１７０及び２７０の自由端に配置された端部ブリッジ１７３及び２７３、並びに軸Ｌ１から遠方への移動の制限がある状態でポスト保持部６の側面に対して載置し、ポスト保持部６の軸Ｌ１の側に接触するこれらの自由端から突出するストップ１７４及び２７４によってスタック７０内に位置を保持する機能を伴ってポスト保持部６に接続される。本明細書では、弾性部材１７０及び２７０の形状は、支持部１００、２００、３００及び４００の初期位置で、ポスト保持部６は、軸Ｌ１に向かう半径方向でそれらのストップ１７４、２７４に対して作用し、この作用のために、弾性部材１７０及び２７０は、事前に応力が加えられた湾曲状態にある。本明細書では、相互に作用する表面の形状及び相対的な位置は、支持部１００、２００、３００又は４００の回転が試みられたとき、各支持部の端部ブリッジ１７３又は２７３に作用するポスト保持部６からの反力が、弾性部材１７０又は２７０を湾曲するのに十分な軸Ｌ１に向かう半径方向の成分を有するように選択される。
【００３２】
装置１は、それが水平な表面、例えば、テーブル上に設置する機能を伴い、底部２０及びカバー５０の後方壁の孔を使用して、留め具でそれを垂直な表面、たとえば、壁に取り付ける機能も伴って作られる。底部２０は、薄壁可塑性パーツの形状で作られ、パッド２１、輪郭ショルダー２２、静止ショルダー２３、キャビティ２４、ポスト用のポケット２５、底部ポスト保持部用のポスト２６、締め付け用のポケット２７、装着ショルダー２８、すべり止め部材用の四つのポケット２９、保持ショルダー３０、三つのフック３１、及び補強リブ３２を含む。水平パッド２１は、輪郭ショルダー２２、静止ショルダー２３、ポスト用のポケット２５、底部ポスト保持部用のポスト２６、キャビティ２４の壁、すべり止め部材用のポケット２９、補強リブ３２、及び保持ショルダー３０に接続されるプレートの上面によって形成される。輪郭ショルダー２２は、静止ショルダー２３及び補強リブ３２に接続される。ポスト用のポケット２５は、締め付け用のポケット２７に接続され、これは締め付けショルダー２８に接続される。保持ショルダー３０は、フック３１に接続される。パッド２１の縁端部に沿って曲げられた湾曲薄壁バンドの形状に作られた輪郭ショルダー２２は、パッド２１から下方に突出する。静止ショルダー２３は、底部２０の左側領域で、輪郭ショルダー２２及びパッド２１から上方に突出する。それは、パッド２１の左縁端部に沿って曲げられたＵ字型部材の形状に作られる。Ｕ字型部材の外側の垂直部分の下方縁端部は、輪郭ショルダー２２の最上方縁端部に接続され、輪郭ショルダー２２の内側の垂直部分の最下方縁端部は、パッド２１の縁端部に接続される。パッド２１の最上レベルからの静止ショルダー２３の高さは、支持部４００の輪郭ショルダー２０４の高さに、それを越えることなく一致し、静止ショルダー２３の内部の垂直領域の内側側面は、支持部４００の輪郭ショルダー２０４を包囲する。底部２０の前方領域の静止・ショルダー２３は、底部ポスト保持部用のポケット２６、及び平面Ｌ１−Ｌ２によって局限され、後方は、その下部フック２３１が、底部２０の上部フック３１から外れるまでの支持部４００の回転角の２分の１以上に等しい、軸Ｌ１から測定された平面Ｌ１−Ｌ２からの角距離を有するクロスブリッジよって局限される。軸Ｌ２の周りのキャビティ２４は、軸Ｌ２と同心の円筒状壁及び平坦な円形最下部を有するカップ形状の部材の開放された最上部面よって形成される。ポスト用のポケット２５は、軸Ｌ１の周りでパッド２１から下方に突出する。ポケットは、カップ及び平坦最下部の形状の部材の開放された最上部面よって形成される。ポスト用のポケット２５の側面は、ポスト４０の下端部の外側表面に等距離である。締め付け用のポケット２７は、ポスト用のポケット２５の最下部から上方に突出する。締め付け用のポケット２７は、軸Ｌ１と同心の円筒状壁及び中央に孔を有する平坦な円形最下部を備えた部材の開放された最下部面よって形成される。締め付けショルダー２８は、リングの形状に作られ、孔縁端部から上方に突出し、それは軸Ｌ１と同心である。底部ポスト保持部用のポケット２６は、輪郭ショルダー２２とキャビティ２４との間のスペース内を底部２０の前方縁端部でパッド２１から下方に突出する。底部ポスト保持部用のポケット２６は、カップ形状の部材の開放された最上部の内側表面によって形成される。底部ポスト保持部用のポケット２６の側面は、円筒状で、平面Ｌ１−Ｌ２内に位置する垂直軸と同心に作られる。すべり止め部材２９用のポケットは、輪郭ショルダー２２の近くでパッド２１から下方に突出する。保持ショルダー３０は、軸Ｌ１の周りでパッド２１から上方に突出する。三つのフック３１は、円周上に均一に間隔が空けられ、保持ショルダー３０から外側に、即ち軸Ｌ１から遠方に突出する。保持ショルダー３０は、軸Ｌ１と同心に設置された円筒状リングの形状に作られる。各フック３１は、上方から見たとき円形セグメントの形をしたプレートの形状に作られる。ポストカバー５は、薄壁可塑性パーツの形状に作られ、最下部でポスト４０、及び最上部でカバー５０を含む。ポスト４０の上端部は、ポストとの接合部の最下部６２、及びカバー５０内のポストとの接合部の補強リブ６１に接続される。最上部が開放されたカップの形状に作られたポスト４０は、壁及び壁と堅固に接続された最下部を含む。ポスト４０の壁は、軸Ｌ１と同心で平面Ｌ１−Ｌ２に対して対称な二つの部分４２、及び軸Ｌ１と同心で平面Ｌ１−Ｌ２に垂直な、軸Ｌ１を通る平面に対して対称な二つの部分４１を含み、部分４１は軸Ｌ１から部分４２より遠方にある。これらの部分の表面は、十分なプロセスで、成型からポストカバー５を取り外すのに十分な加工テーパーでテーパーされている。テーパー方向は、ポストの横方向の寸法が最上部から下方に向けて減少する方向である。加えて、ポスト４０の壁は、その部分４１及び４２の縁端部を備えた縁端部によって接続される、軸Ｌ１に沿って伸ばされた狭い帯形状に作られた半径方向ブリッジ４３及び４４を有する。半径方向ブリッジ４３及び４４の表面は、垂直面内に配置される。このように、軸Ｌ１に接近して配置された部分４２の外側表面は、縦方向の溝の最下部を形成し、この部分に接続された半径方向ブリッジ４３、４４の外側表面は、溝縁端部を形成する。円周方向の溝長は、溝内に配置された支持部１００、２００、３００又は４００の半径方向の突起１５１又は１５２の円周方向の長さ、及び支持部が、ある溝縁端部から他の溝縁端部に回転したときの突起の移動距離長に一致する。ポスト４０の最下部は、水平プレート４５及び装着ブッシング４６を含む。プレート４５の外側縁端部は、ポスト壁に堅固に接続され、その中心部は、装着ブッシング４６で堅固に接続される。装着ブッシング４６の最下方端部は、プレート４５に接続され、プレート４５から上方に突出する。縁端部プレート４５は、その外側でポスト４０の壁により局限され、中心部では装着ブッシング４６により局限される。装着ブッシング４６は、側部で軸Ｌ１と同心の円筒状表面により局限され、その最上部で中心部に孔を有する水平ブリッジ４７を有し、一方、装着ブッシング４６の最上方縁端部は、水平ブリッジ４７の最上部面より上方に突出する。カバー５０は、水平プレート５１、輪郭ショルダー５２、カバーコンパクトディスク用のシート、ポストと接合する場所、カバーポスト保持部５４用のポケット、及び補強リブを含む。カバープレート５１は、輪郭ショルダー５２、カバーコンパクトディスク用のシートの壁５５、ポストとの接合部の壁６０、ポスト保持部ポケットを局限するブッシング、及び補強リブと堅固に接続される。垂直補強リブによって、カバーの輪郭ショルダー５２は、カバーコンパクトディスク用のシートの壁５５、ポストとの接合部の壁６０、及びカバーポスト保持部５４用のポケットを局限するブッシングに接続される。補強リブによって、カバーコンパクトディスク用のシートの壁５５は、ポストとの接合部の壁６０、Ｕ字型のブリッジ６３、及びカバーポスト保持部５４用のポケットを局限するブッシングに接続される。カバープレート５１は水平に、平面Ｌ１−Ｌ２に対して対称に配置される。それは、軸Ｌ２周囲の広い部分、及び軸Ｌ１周囲の狭い部分を含む。カバーの輪郭ショルダー５２は、カバープレート５１の縁端部から下方に突出する。カバーコンパクトディスク用のシートは、軸Ｌ２の周りでカバー５０の広い部分の中心に配置される。それは、側部では、カバープレート５１から下方に突出する垂直壁５５により局限され、下方からは、それに接続される最下部部分によって局限される。壁５５は、湾曲した帯形状に作られ、軸Ｌ２からの距離は、この壁５５により制限された空間内で水平にコンパクトディスク１０を配置するのに十分であり、これにより、コンパクトディスクの軸が軸Ｌ２と整合する。平面Ｌ１−Ｌ２に対して垂直な方向、及び軸Ｌ２から軸Ｌ１への方向において、壁５５から軸Ｌ２への距離は、把持する機能を有するコンパクトディスク１０の縁端部上に指を載せるのに十分である。カバーコンパクトディスク用のシートの最下部部分は、その縁端部に三つの凹部５７を有する水平支持プレート５６、並びにその中心に配置され、支持プレート５６から上方に突出する下部支持部分５８及び上部保持部分５９を含むコンパクトディスク保持部を含む。最上部で、支持部分５８は、コンパクトディスク用の水平支持部パッドを有し、返されたカップ形状の保持部分５９は、支持部パッドの中心から突出する。保持部分５９の外部側表面は、円筒状で軸Ｌ２と同心であり、軸からの距離は、コンパクトディスク１０の中心孔により包囲されるのに十分である。ポストとの接合部は、ポスト６０との接合部の壁、ポスト６２の下方縁端部に接続されたポスト６２との接合部の最下部、並びにポスト及び最下部に接続された、ポスト６１有する接合部の補強リブを含む。ポスト６０との接合部の壁は、その上部の縁端部によって、水平カバープレート５１に接続される。ポスト６２との接合部の最下部は、孔を有し、ポスト４０の上端部は、孔を通して上方に突出する。ポスト４０の上端部は、ポスト６１との接合部の補強リブに接続される。ポスト６１との接合部の補強リブは、軸Ｌ１に対して垂直で半径方向に配置されたプレートの形状に作られる。カバーポスト保持部５４用のポケットは、輪郭ショルダー５２とコンパクトディスクシート壁との間のスペース内を、カバー５０の前方縁端部でカバー水平プレート５１から下向きに突出する。カバーポスト保持部５４用のポケットは、平面Ｌ１−Ｌ２内に垂直軸が配置された円筒状ブッシングの形状の部材の開放された最下部内側表面により形成される。
【００３３】
薄壁可塑性パーツの形状に作られカップ６５は、楕円型シリンダーの形状をした側面を有する垂直壁６６、下方の平坦な水平最下部、最上部の平坦な円形フランジ６７、及びフランジ前縁端部から下方に突出するタブ６８を含む。フランジ６７の長さは、カバーポスト５０を有するポストカバー５の接合部の補強リブより上からカバーするのに十分である。タブ６８は、カバー５０のＵ字型ブリッジ６３内にタブ６８を配置する機能を伴った状態で作られる。
【００３４】
支持部１００は、涙粒の形状をした外部輪郭を有する薄壁可塑性パーツの形状で作られる。支持部１００は、垂直軸Ｌ１の周りの狭いパーツ１０１、及び垂直軸Ｌ２の周りの広いパーツ１０２を含む。その広い部分に、支持部１００は、コンパクトディスク用のシート、静止ショルダー１０３、ハンドル１１０、輪郭ショルダー１０４、弾性部材１７０、コンパクトディスク１０６を把持するための二つの孔、及び補強リブ１０７を含む。その狭い部分に、支持部１００は、静止ショルダー１０３、輪郭ショルダー１０４、水平ブリッジ１０８、外側リング１３０、三つの下部フック１３１、中央リング１２０、内側リング１５０、二つの半径方向ショルダー１５１、環状ショルダー１４０、三つの上部フック１４１、及び補強リブ１２１を含む。コンパクトディスク用のシートは、支持部パッド１６１及びコンパクトディスクのシフトを制限する構成要素、即ち、外側保持ショルダー１６０及び内側保持ショルダー１６２を含む。内側で、コンパクトディスク用のシートの外側保持ショルダー１６０は、支持部パッド１６１に接続され、外側で、それは、補強リブ１０７に接続される。静止ショルダー１０３は、縦方向の補強リブ、ハンドル１１０、水平ブリッジ１０８及び外側リング１３０に接続される。輪郭ショルダー１０４は、補強リブ１０７、水平ブリッジ１０８、ブリッジ１７５及び外側リング１３０に接続される。水平ブリッジ１０８は、外側リング１３０、中央リング１２０及び環状ショルダー１４０に接続される。中央リング１２０は、半径方向ブリッジ１２２によって内側リング１５０に接続される。外側リング１３０は、三つの下部フック１３１に接続される。内側リング１５０は、二つの半径方向ショルダー１５１に接続される。環状ショルダー１４０は、上部フック１４１ｎ接続される。コンパクトディスク用のシートの外側保持ショルダー１６０、補強リブ１０７、輪郭ショルダー１０４、弾性部材１７０、外側リング１３０、中央リング１２０、内側リング１５０及び二つの半径方向ショルダー１５１は、同じ高さを有し、同じレベルに配置される。
【００３５】
コンパクトディスク用のシートは、支持部１００の広い部分１０１の中央に配置され、軸Ｌ２と同心の円筒状リングの形状で作られた外側保持ショルダー１６０によって外部に局限される。軸Ｌ２に面する外側保持ショルダー１６０の内部表面は、すき間を空けてコンパクトディスク１０の外側縁端部を包囲する機能を伴って作られる。外側保持ショルダーの最上面は、水平平面内に載る。外側保持ショルダー１６０は、コンパクトディスク１０６を把持するための孔がある二つの間隙を有する。支持部パッド１６１は、コンパクトディスク用のシートの下方部分に配置されたプレートの最上部水平表面によって形成される。プレート最下部表面は、下方から支持部１００を局限する平面と整合する。内側保持ショルダー１６２は、その凸状が、支持部１００側に面し、７０から出て行く、即ち左側の位置で支持部パッド１６１の中央に配置された薄壁半リングの形状で作られる。内側保持ショルダー１６２の外側表面は、コンパクトディスク１０の孔を形成する表面によって、すき間を空けて包囲する機能を有し、円筒状で軸Ｌ２と同心である。外側保持ショルダー１６０及び内側保持ショルダー１６２は、支持部パッド１６１の上方に突出する。プレート支持部パッド１６１は、支持部パッド１６３の中心孔上に配置され、保持ショルダー１６２の側で、孔は、プレートの最上部で、ショルダー１６２の内側表面と整合する円筒状表面によって局限される。反対側で、この孔１６３は、軸Ｌ２からの距離が、コンパクトディスク１０内の孔の半径より大きい表面によって局限され、コンパクトディスク１０の孔の縁端部を指で把持するのに十分である。静止ショルダー１０３は、左側の支持部１００を局限し、支持部１００のコンパクトディスクシートの外側保持ショルダー１６０の最上面より上方に突出し、その突起の高さは、上方から隣接する支持部４００の輪郭ショルダー２０４の高さを越えないが、その高さに対応している。静止ショルダー１０３は、支持部１００の左側領域に沿って湾曲したＵ字型の断面を有する部材の形状で作られる。最上部で、部材の上部の垂直部分は、ブリッジによってその内側垂直部分に接続される。静止ショルダー１０３の内側垂直部分の下方縁端部は、水平ブリッジによって、Ｕ字型の断面を有する縦方向の補強リブの下方縁端部に接続される。静止ショルダー１０３の内側垂直部分の内側表面は、すき間を空けて、上方から隣接する支持部４００の輪郭ショルダーの外側表面を包囲する。軸Ｌ１からより遠い縁端部で、即ち平面Ｌ１−Ｌ２に面するその前方縁端部で、静止ショルダー１０３は、静止ブリッジ１７６を有する。静止ショルダー１０３は、静止ブリッジ１７６から平面Ｌ１−Ｌ２への外側垂直部分の延長部として端部突起１７７を有する。
【００３６】
ハンドル１１０は、支持部１００の左前方部分内の静止ショルダー１０３の垂直外側部分から支持部１００の外部に突出する。ハンドル１１０は、平坦な最上部分及びそれに接続されたショルダーを含み、平坦な最上部分の縁端部から支持部１００の下部水平面へ下方に突出する。平坦な最上部分は、下方に傾斜して突出した外部縁端部を備えて作られる。ハンドル１１０の前部縁端部は、支持部Ｌ１の回転軸に向かって円周方向に延びる表面によって局限され、ハンドル１１０の右側縁端部は、軸Ｌ１に向かって半径方向に引き込む表面によって局限され、ハンドル１１０の左側縁端部は、平面Ｌ１−Ｌ２を横断する支持部１００の全体寸法内に配置される、即ち、それは、平面Ｌ１−Ｌ２から静止ショルダー１０３の左側縁端部への距離の限界内である。
【００３７】
輪郭ショルダー１０４は、右側で支持部１００を局限し、支持部１００の外部輪郭の右側領域に沿って湾曲したＵ字型の断面を有する部品の形状に作られる。輪郭ショルダー１０４の外側垂直部分の外側表面は、最下部に隣接した支持部２００の静止ショルダー２０３の内側垂直部分の内側表面によってすき間を空けて包囲される。
【００３８】
弾性部材１７０は、二つの弾性部分を含む、即ち、外側部分１７１及び内側部分１７２、並びにまた、端部ブリッジ１７３及びストップ１７４である。弾性部分１７１と１７２とは、それらの右側縁端部によって、輪郭ショルダー１０４の前端部をコンパクトディスクシートの外側保持ショルダー１６０に接続するブリッジ１７５で接続される。弾性部材１７０の自由端で、弾性部分１７１及び１７２の左側端部は、端部ブリッジ１７３に接続される。ストップ１７４は、端部ブリッジ１７３に接続される。弾性部材１７１及び１７２は、スタックからブリッジ１７５の延長方向、即ち、平面Ｌ１−Ｌ２に向けて左側向きに、その右側部分の前縁端部で支持部１００の外部輪郭に沿って互いに隣接して配置される。弾性部分１７１及び１７２は、垂直等距離の帯形状に作られる。端部ブリッジ１７３は、弾性部分１７１及び１７２の端部と滑らかに噛合し、端部と同じ高さを有し、一端から他端へ円周に沿って湾曲した帯形状に作られる。ストップ１７４は、端部ブリッジ１７３と同じ高さを有する帯形状に作られ、ブリッジ中心から左側外部平面Ｌ１−Ｌ２に突出する。支持部１００から外側に面するストップ１７４及び端部ブリッジ１７３の表面は、円筒状表面によって滑らか噛合する。
【００３９】
補強リブ１０７は、垂直帯形状に作られ、輪郭ショルダー１０４が支持部の右側で、外側リング１３０が支持部１００の狭い部分１０１内にある状態で、コンパクトディスクシートの外側保持ショルダー１６０を、支持部１００の広い側１０２の左側の静止ショルダー１０３に接続された縦方向の補強リブに接続する。
【００４０】
支持部１００の広い部分１０２の左側及び右側の縁端部に、コンパクトディスク１０を把持するための二つの孔１０６、即ち、コンパクトディスクシートと静止ショルダー１０３との間のスペース、及びコンパクトディスクシートと輪郭ショルダー１０４との間のスペース、がある。軸Ｌ２に対して円周方向において、孔は、補強リブ１０７により制限され、軸Ｌ２に向かう半径方向において、孔は、コンパクトディスクシートの支持部パッド１６１の縁端部により制限される。孔１０６の寸法は、コンパクトディスク１０を指で把持するのに十分である。
【００４１】
外側リング１３０は円筒状で軸Ｌ１と同心である。支持部の左側で、外側リング１３０は、静止ショルダー１０３の内側垂直部分と滑らかに噛合し、支持部の右側で、輪郭ショルダー１０４の外部垂直部分と滑らかに噛合する。外側リング１３０の上方縁端部は、水平ブリッジ１０８と直角に噛合する。
【００４２】
下部フック１３１は、その内部円筒状表面から軸Ｌ１に向けて突出する外側リング１３０の下方部分に接続された薄い水平プレートの形状に作られる。下部フック１３１の高さは、下部フックが、支持部２００の上部フック２４１の下の自由空間に嵌合し、水平面１０４からのそれらの距離が、支持部２００の上部フック２４１が、下部フック１３１上の自由空間に嵌合するのに十分となるようにする。円周方向において、下部フック１３１は、平面Ｌ１−Ｌ２が、軸Ｌ２に最も近いフックを２分するように軸Ｌ１の周りの円周に沿って均一に分散させる。支持部２００の上部フック２４１に対する下部フック１３１の配置は、支持部１００又は２００のうちの１一が回転中に、支持部１００の各下部フック１３１が、支持部２００の上部フック２４１の一方の縁端部から他方の縁端部へ移動するようになされる。円周方向の下部フック１３１の寸法は、同じ方向の上部フック１４１の最も接近した縁端部間の距離より小さい。
【００４３】
中央リング１２０は円筒状で、外側リング１３０と同心であり、外側リング１３０より軸Ｌ１に近接している。中央リング１２０の外側円筒状表面は、支持部２００の上方リング２３０の内側表面によって、支持部１００及び２００の相対的な回転を可能にさせる、すき間を空けて包囲される機能を伴って作られる。
【００４４】
内側リング１５０は円筒状で、中央リング１２０と同心であり、中央リング１２０より軸Ｌ１に近接している。内側リングは、半径方向のブリッジ１２２、即ち、円周に沿って均一に分散された垂直プレート、によって中央リングに接続される。上方から見るとき、二つの半径方向の突起１５１は、Ｕ字型の要素の形状で、軸Ｌ１に向けて内側リングから互いに反対向きに突出する。
【００４５】
環状ショルダー１４０は円筒状で、中央リング１２０と同心であり、中央リング１２０よりも軸Ｌ１から遠方にある。環状ショルダー１４０は、水平ブリッジ１０８の最上面より上方に突出する。環状ショルダー１４０は、その内側円筒状表面が、相互の回転のために十分なすき間を保って支持部４００の中央リング４２０の外部表面を包囲する機能を伴って製作される。
【００４６】
三つの上部フック１４１は、同じ形状、即ち、上方から見たとき、セグメント形状の薄い水平プレート、を有する。上部フック１４１は、上部リング１４０の上方部分に接続され、そこより軸Ｌ１から離れる方向に突出する。上方リング１４０の上方及び最上端部からそれらを局限する表面は、同じ平面内にあり、上部フック１４１と合わせた上方リング１４０の軸Ｌ１を通過する平面による断面はＬ字型である。上部フック１４１の高さは、上部フックが、支持部４００の下部フック４３１上のスペースに嵌合し、支持部４００の下部フック４３１が上部フックの下に嵌合するように水平プレート１０４から十分に離れているようにする。円周方向において、上部フック１４１は、軸Ｌ１の周りで円周に沿って均一に間隔が空けられる。上部フックの一つは、軸Ｌ２の後ろの狭い部分の後部に配置され、平面Ｌ１−Ｌ２によって２分される。支持部４００の下部フック４３１に対する上部フック１４１の位置は、支持部１００又は４００の一つを回転させたとき、支持部４００の各下部フック４３１が、支持部１００の上部フック１４１の一方の縁端部から他方の縁端部に移動するようにする。
【００４７】
水平ブリッジ１０８は、外側リング１３０により外部に、中央リング１２０によって内部に局限された水平プレートの形状に作られる。水平ブリッジ１０８は、下部フック１３１より上、かつ上部フックより下に組み立て孔を有し、孔の形状は、これらのフック１３１及び１４１に対応する。
【００４８】
支持部３００は、支持部１００と同じ構成要素を有し、唯一の違いは、ハンドル３１０の形状及び位置である。支持部３００のハンドル３１０はまた、支持部３００の左前方部分内の静止ショルダーの外側垂直部分から外部支持部３００に突出するが、支持部１００のハンドル１１０より平面Ｌ１−Ｌ２に近い。ハンドル３１０は、平坦な上方部分及びそこに接続されたショルダーを有し、平坦な上方部分の縁端部から支持部１００の下部水平面に向け下方に突出する。ハンドル３１０の上方平坦部分は、下方に傾斜している。ハンドル３１０の前方縁端部は、円周方向に沿って走る表面によって局限され、ハンドル３１０の側面−左右−縁端部は、支持部の回転軸Ｌ１に対して半径方向に走る表面によって局限される。支持部２００は、それを軸Ｌ１の周りに反時計回り、即ち支持部１００と比較して反対方向に回転させることによって、スタック７０から引き出す機能を伴って作られる。支持部２００は、以下の構成要素を含む。コンパクトディスクシート、静止ショルダー２０３、輪郭ショルダー２０４、弾性部材２７０、コンパクトディスクを把持するための二つの孔２０６、補強リブ２０７、水平ブリッジ２０８、外側リング２３０、中央リング２２０、内側リング２５０、二つの半径方向の突起２５１、及び環状ショルダー２４０。これらの要素の形状及び位置は、支持部１００のそれぞれの構成要素の平面Ｌ１−Ｌ２に関する鏡像から得ることができる。支持部２００は、以下の構成要素を含む。三つの下部フック２３１及び三つの上部フック２４１。互いに対するそれらの形状及び位置は、支持部１００のそれぞれの構成要素の形状及び位置と同じであり、軸Ｌ１に対するこれらの構成要素の位置と支持部１００のそれぞれの構成要素の位置との差は、軸Ｌ１に対して反時計回り方向での角距離である。それは、突起１３１の中央と突起１３１に最も近い支持部１００の上部リング１４０の突起１４１の縁端部との角距離に等しい。支持部２００は、ハンドル２１０を有し、その形状及び位置は、平面Ｌ１−Ｌ２に対する支持部３００のハンドル３１０の形状及び位置の鏡像から得ることができる。
【００４９】
支持部４００は、支持部２００と同じ構成要素を有し、支持部２００との唯一の違いは、ハンドル４１０の形状及び位置である。支持部４００はハンドル４１０を有し、その形状及び位置は、平面Ｌ１−Ｌ２に対する支持部１００のハンドル１１０の形状及び位置の鏡像から得られる。
【００５０】
［装置１の動作］
ユーザは片手で、装置１内にコンパクトディスク１０を置くことができる。これを行うため、ユーザは、先ず、カバー５０上の保持部の支持部部分５８上にコンパクトディスク１０を固定する。次いで、支持部１００、２００、３００又は４００が使用中であると示していないハンドル１１０、２１０、３１０又は４１０を選択する。たとえば、ユーザは、支持部１００のハンドル１１０を選択する。この場合、ユーザは、カップ６５からマーカーを取ることができ、ハンドル１１０上にコンパクトディスク１０のタイトル又はシンボルを書くことができる。次いで、ユーザは、自分の手でハンドル１１０に力を加え左側に力を向ける。この力は、中央リング１２０及び支持部１００の環状ショルダー１４０に伝えられる。中央リング１２０の外側表面が、下方に隣接する支持部２００の環状ショルダー２４０内部表面と相互作用し、環状ショルダー１４０の内側表面は、上方に隣接する支持部４００の中央リング４２０の外側表面と相互作用する。結果として、支持部１００は、軸Ｌ１の周りを時計回りに回転し始める。支持部１００の弾性部材１７０の端部ブリッジ１７３の側面は、ポスト保持部６に作用する。この力の半径方向の構成要素が、支持部の回転軸Ｌ１に向けて導かれるので、支持部１００の弾性部材１７０は、水平面内で湾曲し、その自由端部が、軸Ｌ１に向けて移動する。このプロセスで、弾性部材の外部弾性部分１７１の外側表面は、ポスト保持部６に対して押し付けられ、それに沿って摺動する。ここで、摩擦力が、支持部１００から隣接する支持部２００及び４００に作用し、引き出されている支持部１００と共にこれらの支持部を引きずり、時計回りにそれらも回転させようとする。この力は、ポスト保持部６に面する静止ブリッジ２７６に伝わり、静止ブリッジ２７６は、ポスト保持部６に対して載置するこれらの支持部２００及び２４０の静止ショルダー２０３の前端部に配置される。このため、支持部２００及び４００は静止したままである。支持部１００が回転するにつれ、自由空間がその場所に形成される。支持部１００の上方に位置する支持部の重みで、隣接する上部の支持部４００は、静止ショルダー２０３の下方部分が、隣接する下部の支持部２００の静止ショルダー２０３の上方部分に対して載置するまで下方に移動する。こうして、支持部２００の静止ショルダー２０３は、スタック７０の最初の部分の重量の一部を受ける。これにより、引き出されている支持部１００に対する負荷が低減し、自由空間が、隣接する上部の支持部４００の下に形成される。このスペースの高さは、支持部２００の静止ショルダー２０３の上方に突出している部分の高さに等しい。更に、支持部１００は、コンパクトディスク１０を支持部１００から取り外すのに十分な角度だけ回転する。支持部１００の半径方向の突起１５１の側面が、ポストカバー５のポスト４０の溝の縁端部４４に対して載置し、これにより、支持部１００の回転が止まる。次いで、ユーザは、カバー保持部５０の支持部部分５８からコンパクトディスク１０を取り、支持部１００内のそのシート、即ち、支持部パッド１６１上にそれを設置し、内側保持ショルダー１６２上にその孔を配置することによってコンパクトディスク１０を保持する。これがなされたとき、スタック７０から引き出された支持部１００の広い部分１０２は、上下方向におけるユーザの手の動作の作用、並びにコンパクトディスク１０の重量及びスタック自身の重量の作用を受ける。これらの力の各々は、軸Ｌ１からその作用線までの距離に等しい腕のモーメントを生み出す。これらの全ての力のモーメントの和は、スタック７０から引き出されているその支持部の上部に配置された支持部の重量、及びスタック７０から引き出されている支持部の狭い部分上で、支持部１００の下の支持部２００の反力の作用によるモーメントによって相殺される。この反作用が、該モーメントの和のバランスをとるのに十分でない場合、例えば、引き出されている支持部が、スタック７０の最上部にあり、下方に配置された支持部の重量が十分でない場合、下方の隣接する支持部２００の上部フック２４１の反力が効果を発揮する。これらの力は、支持部１００の下部フック１３１に下方に作用し、支持部１００の狭い部分１０１が上方に移動することを妨げる。更に、ユーザの手で支持部１００のハンドル１１０を押すことにより、ユーザは、軸Ｌ１の周りで反時計回りに支持部１００を回転させ、それをスタック７０に戻す。支持部１００はスタック７０内を摺動して、上方の隣接する支持部４００の下の該オープンスペースに入り、支持部４００が、下方の隣接する支持部２００の静止ショルダー２０３に対して載置する。静止ショルダー２０３は、支持部１００の上方に配置された支持部の重量の一部を受け、支持部１００がスタック７０内に摺動することを妨げる摩擦力を低減する。さらに、スタック７０内に摺動するとき、支持部１００は、摩擦力によって、隣接する支持部２００及び４００上に作用し、それらを反時計回りに回転させ、スタック７０から押し出そうとする。摩擦力の作用は、支持部２００及び４００の弾性部材２７０に伝えられ、これが、端部ブリッジ２７３でポスト保持部６に作用する。支持部２００及び４００に対するポスト保持部６の反作用は、それらを減速し、それらがスタック７０から滑り出るのを妨げる。更に、ポスト保持部６は、支持部１００の弾性部材１７０の外側部分１７１の移動する外部表面に作用し、それに沿って摺動し、水平面内で弾性部材１７０を曲げる。支持部１００の戻り回転の最後に、弾性部材１７０の端部ブリッジ１７３は、ポスト保持部６の後方でパチンとはまり、弾性力によって作用を受け、弾性部材１７０は真っ直ぐになり、そのストップ１７４は、ポスト保持部６に対して載置する。
【００５１】
装置１からコンパクトディスク１０を取り外すために、以前は、ユーザは、ハンドル１１０を使用して、支持部、例えば支持部１００を引き出し、２本の指でコンパクトディスク１０を手に取っていた。本明細書では、ユーザは、孔１０６を通って、その外側縁端部で、即ち１本の指、例えば、人さし指でコンパクトディスク１０を取ることができ、ユーザは、その孔の縁端部によって、コンパクトディスク１０を取ることができ、他の指、例えば親指で、ユーザはその外側縁端部でコンパクトディスクを取ることができる。
【００５２】
他の支持部２００、３００又は４００は、支持部１００と同じ構成要素を含み、これらは、ポスト４０及び隣接する支持部のそれぞれの構成要素と相互作用するとき、支持部１００の構成要素と同様に動作する。
【００５３】
［装置１を組み立てる順序］
スタック７０を組み立てる。スタック７０を底部２０に接続する。底部２０をポスト保持部６に接続する。ポストカバー５を底部２０及びポスト保持部６に接続する。ポストカバー５のポスト４０内の上部孔にカップ６５を設置する。
【００５４】
スタック７０を組み立てるために、それらの下部フック及び上部フック、１３１及び２４１、並びに２３１及び１４１を係合することによって、隣接する支持部１００及び２００、２００及び３００、３００及び４００、４００及び１００が、互いに順番に接続される。例えば、隣接する支持部１００及び２００のフック１３１及び２４１を係合するために、以下の動作を実行する必要がある。支持部２００上に支持部１００を置く。支持部１００の中央リング１２０の外部表面を支持部２００の環状ショルダー２４０の内部表面に位置合わせする。支持部１００の静止ショルダー１０３の後方端部が、支持部２００の静止ショルダー２０３の後方端部で停止するまで、上方から見て時計回りに支持部１００を回転させる。支持部１００の上方から支持部２００を押し付け、支持部１００の中央リング１２０の外部表面を、支持部２００の環状ショルダー２４０の内部表面で包囲させながら、行ける限り一緒にそれらを移動させる。支持部１００をその初期位置まで反時計回りに回転させる。
【００５５】
スタック７０を底部２０に接続するために、支持部４００の下部フック２３１を底部２０のフック３１と係合させる必要がある。これ行うために、以下が必要である。下方から底部２０をスタック７０に対して配置する。支持部４００の中央リング２２０の外部表面を、底部２０の保持ショルダー３０の内部表面に位置合わせする。底部２０の静止ショルダー２３の後方端部が、支持部４００の静止ショルダー２０３の後方端部に対して載置するまでスタック７０に対して上方から見て時計回りに底部２０を回転させる。上方からスタック７０を底部２０に押し付け、支持部４００の中央リング２２０の外部表面を、底部２０の保持ショルダー３０の内部表面で包囲させながら、行ける限り一緒に支持部４００及び底部２０を移動させる。底部２０をその初期位置に反時計回りに回転させる。底部２０をポスト保持部６に接続するには、ポスト保持部６が設置されるスペースから弾性部材１７０及び２７０を取り外すために、特別なツールを使用して、全ての支持部１００、２００、３００及び４００を一定の角度だけ回転させる必要があり、次いで、底部のポスト保持部ポケット２６のポスト保持部内に、上方からポスト保持部６を行ける限り挿入する。
【００５６】
ポストカバー５を底部２０及びポスト保持部６に接続するために以下が必要である。ポストカバー５のポスト４０を支持部１００、２００、３００及び４００の孔内に挿入する。ポストカバー５を下げる。ポスト４０の下端部を底部２０のポスト２５用のポケット２５に挿入し、同時に、ポスト保持部６の上端部をポスト保持部カバー５４のポケットに挿入する。上方からポストカバー５を底部２０に押し付ける。特別なツールでの加熱によって、装着ショルダー２８の最上部分を燃焼させ、それをポストカバー５のポスト４０の装着ブッシング４６の水平ブリッジ４７の上部表面に押し付ける。
【００５７】
コンパクトディスク１０を格納するための装置２は以下を含む。底部２０、支持部１００、２００、３００及び４００の三つのスタック７０、二つのポスト・インサート７、ポストカバー５、ポスト保持部、ターンバックル９５、及びカップ６５。装置２の部品：底部２０、スタック７０、支持部１００、２００、３００及び４００、ポストカバー５、並びにカップ６５は、上述の装置１から借用され、装置１のそれぞれの部品として軸Ｌ１及びＬ２に対して配置される。最下部スタック７０は、底部２０上に設置される。低部ポスト・インサート７のポスト８０が、下部スタック７０の支持部１００、２００、３００及び４００の孔内に上方から配置され、ポストの下端部が底部２０に対して載置する。中央スタック７０は、下部ポスト・インサート７のインサート９０上に設置される。上部のポスト・インサート７のポスト８０が、中央スタック７０の支持部１００、２００、３００及び４００の孔内に配置され、ポストの下端部が底部２０に対して載置する。上部スタック７０は、上部ポスト・インサート７のインサート９０上に設置される。ポストカバー５のポスト４０は、上部スタック７０の支持部１００、２００、３００及び４００の孔内に配置され、ポストの下端部が、上部ポスト・インサート７に対して載置する。
【００５８】
スタッド及び二つのナットを含むターンバックルが、底部２０及びポストカバー５を共に引っぱることで、それらの間にあるポスト・インサート７に二つの側から押し付け、ポスト・インサート７を互いに押圧することにより、これら全ての細部間の堅固な接続を形成させる。上部ナットは、ポスト４０の最下部の装着ブッシングの水平ブリッジ４７と相互作用する機能を伴った状態で作られる。下部ナットは、底部２０の留め具２７用のポケットの下部表面と相互作用する機能を伴った状態で作られる。スタッドは、底部２０の孔の同軸Ｌ１内、インサート７のポスト内、及びポスト４０内に配置される。下部スタック７０において、下部支持部４００は、装置１と同じ方法で底部２０に接続される。支持部１００、２００、３００及び４００は、装置１において、それらがポスト４０に接続されるのと同じ方法で、下部ポスト・インサート７のポスト８０に接続される。中央スタック７０において、下部支持部４００は、軸Ｌ１に対するシフトを制限し、軸Ｌ１周囲を回転する機能を伴った状態で、下部ポスト・インサート７に接続される。中央スタック７０の支持部１００、２００、３００及び４００は、上述したように、下部スタック７０の支持部１００、２００、３００及び４００が、下部ポスト・インサート７のポスト８０に接続されるのと同じ方法で、上部ポスト・インサート７のポスト８０に接続される。上部スタック７０において、下部支持部４００は、軸Ｌ１に対するシフトを制限し、軸Ｌ１周囲を回転する機能を伴った状態で、上部ポスト・インサート７に接続される。上部スタック７０の支持部１００、２００、３００及び４００は、装置１と同じ方法で、ポストカバー５のポスト４０に接続される。
【００５９】
装置２の各ポスト・インサート７は、薄壁可塑性パーツの形状で作られ、軸Ｌ１に沿って垂直に配置された支持部８０、及びその上方部分に剛接続されたインサート９０を含む。ポスト８０は、最上部が開放されたカップの形状に作られ、下方、中央、及び上方の部分を含む。ポスト８０の下方部分は、装置１のポストカバー５のポスト４０の下方部分と同じ形状及び同じ構成要素、並びに底部２０のポスト用のポケット２５内に上方から設置される機能を有する。加えて、ポスト８０の下方部分は、他の任意のポスト・インサート７のポスト８０の上方部分のワイドニング８５において、上方から設置される機能を伴って作られる。ポスト８０の中央部分は、装置１のポストカバー５のポスト４０の中央部分と同じ形状及び同じ構成要素を有し、支持部１００、２００、３００及び４００にも接続される。ポスト８０の上方部分は、横方向にワイドニング８５を有し、ポスト・インサート７のポスト８０の下方部分、又はポストカバー５のポスト４０の下方部分を、最小の間隙又は最小の干渉で包囲する機能を伴って作られる。本明細書において、より狭い中央部分からより広い上方部分への移行領域内に形成されたステップ８６は、下方への移動を限定する装置２のポスト８０の下端部、又は装置１のポスト４０の下端部用のストップとして機能する。ポスト・インサート７のインサート９０は、薄壁可塑性パーツの形状に作られており、以下の構成要素を含む。同じ機能、形状及び位置を有する底部２０の構成要素と同じ方法で、スタック７０と相互作用する機能を備えて作られた、パッド９１、輪郭ショルダー９２、静止ショルダー９３、キャビティ９４、保持ショルダー３０、三つのフック３１及び補強リブ３２。インサート９０は、内部表面が、装置２のポスト保持部の外部表面を包囲する機能を伴って作られたポスト保持部９６用のブッシングを有する。
【００６０】
装置２のポスト保持部は、その下端部が、底部２６のポスト保持部用のポケットによって包囲されているために、水平移動及び下方垂直移動が制限された状態で、円形ロッド形状に作られ、垂直に設置され、底部２０に接続される。ポスト保持部は、その上端部が、カバー５４のポスト保持部用のポケットによって包囲されているために、水平移動及び上方垂直移動が制限された状態で、ポストカバー５に接続される。ポスト保持部は、その側面が、ポスト保持部９６のブッシングによって包囲されているために、水平移動が制限された状態で、各ポスト・インサート７に接続される。
【産業上の利用可能性】
【００６１】
本発明の使用は、本明細書から明らかである。
【符号の説明】
【００６２】
１  装置
５  ポストカバー
６  ポスト保持部
１０  コンパクトディスク
２０  底部
２２  輪郭ショルダー
４０  ポスト
４３  縦方向の溝の縁端部
４４  溝の反対側縁端部
５０  カバー
５２  輪郭ショルダー
６５  カップ
７０  スタック
１００  支持部
１０３  静止ショルダー
１１０  ハンドル
１５１  半径方向の突起
１７０  弾性部材
１７３  静止ブリッジ
１７４  ストップ
１７６  静止ブリッジ
１７７  端部突起
２００  支持部
２０３  静止ショルダー
２１０  ハンドル
２７０  弾性部材
２７３  静止ブリッジ
２７４  ストップ
２７６  静止ブリッジ
３００  支持部
３１０  ハンドル
４００  支持部
４１０  ハンドル
Ｌ１  軸
Ｌ２  軸
【図１】
2011530775.tif 000003
【図２】
2011530775.tif 000004
【図３】
2011530775.tif 000005
【図４】
2011530775.tif 000006
【図５】
2011530775.tif 000007
【図６】
2011530775.tif 000008
【図７】
2011530775.tif 000009
【図８】
2011530775.tif 000010
【図９】
2011530775.tif 000011
【図１０】
2011530775.tif 000012
【図１１】
2011530775.tif 000013
【図１２】
2011530775.tif 000014
【図１３】
2011530775.tif 000015
【図１４】
2011530775.tif 000016
【図１５】
2011530775.tif 000017
【図１６】
2011530775.tif 000018
【図１７】
2011530775.tif 000019
【図１８】
2011530775.tif 000020
【図１９】
2011530775.tif 000021
【図２０】
2011530775.tif 000022
【図２１】
2011530775.tif 000023
【図２２】
2011530775.tif 000024
【国際調査報告】
2011530775.tif 000025
2011530775.tif 000026